(57)【要約】      （修正有）【課題】簡単な機構とすることによって卓上型を実現すると共に大束の動作を安定させた大束帯封機を提供する。【解決手段】大束セット部２には、大束セット部２の底面、すなわち大束１０が置かれる底面を構成する回転テーブル３０が設けられている。回転テーブル３０は、後方から前方に向かって、上面部１ａと同じ角度の下り勾配の傾斜を有するように設けられている。大束１０が置かれた状態で回転テーブル３０が９０°回転した後、回転された状態の大束１０を上方に持ち上げて、大束１０がループガイドの内部に位置するようにするための上昇機構４０が設けられている。【選択図】図３
2010076785.tif 000002
【特許請求の範囲】
【請求項１】
複数の紙葉類を束ねた小束を複数束ねた大束に帯封を行う大束帯封機であって、
傾斜した状態で前記大束を乗せると共に該大束を乗せながら９０°の回転を行う回転テーブルと、
該回転テーブルが９０°の回転を行った後、前記大束を上昇させる上昇機構部と、
前記回転テーブルの回転前の前記大束と、前記回転テーブルの回転後に前記上昇機構部によって上昇された前記大束とに帯封する帯封機構部と
を備える大束帯封機。
【発明の詳細な説明】
【技術分野】
【０００１】
この発明は大束帯封機に係り、特に、紙幣のような紙葉類の小束をさらに束ねて大束とし、この大束に帯を巻く装置に関する。
【背景技術】
【０００２】
大量の紙幣をまとめるには、通常、１００枚の紙幣を帯で施封して１つの札束（小束）とし、この小束を複数束ねて大束としてさらに帯で施封する。大束を帯で施封するには、大束に対して紙幣の長辺方向に横帯を巻いた後、紙幣の短辺方向に縦帯を巻くことにより行われる。この動作を行うためには、大束を９０°回転させる動作が必要である。
例えば、特許文献１に記載された従来の大束帯封機では、札乗せテーブル上に複数の小束を乗せて大束とした後、一対のクランプ部材で当該大束を揃えながら挟んで横帯を巻き、当該大束を９０°回転させてからさらに縦帯を巻くことにより、大束の帯封動作が行われる。
【０００３】
【特許文献１】特開平８−５８７２３号公報
【発明の開示】
【発明が解決しようとする課題】
【０００４】
しかしながら、従来の大束帯封機では、大束を掴んだ後、大束を９０°回転させる方式がとられているため、機構的に大掛かりで動作が不安定であるといった問題点があった。さらに、機構的に大掛かりであることから、フロアタイプの大束帯封機しか実現できなかった。
【０００５】
この発明はこのような問題点を解決するためになされたもので、簡単な機構とすることによって卓上型を実現すると共に大束の動作を安定させた大束帯封機を提供することを目的とする。
【課題を解決するための手段】
【０００６】
この発明に係る大束帯封機は、複数の紙葉類を束ねた小束を複数束ねた大束に帯封を行う大束帯封機であって、傾斜した状態で前記大束を乗せると共に該大束を乗せながら９０°の回転を行う回転テーブルと、該回転テーブルが９０°の回転を行った後、前記大束を上昇させる上昇機構部と、前記回転テーブルの回転前の前記大束と、前記回転テーブルの回転後に前記上昇機構部によって上昇された前記大束とに帯封する帯封機構部とを備える。
【発明の効果】
【０００７】
この発明によれば、大束を乗せた回転テーブル自体が大束と一緒に回転することにより、大束を掴む機構が不要となるので、装置全体が簡単な機構となって卓上型の大束帯封機を実現することができる。また、傾斜した回転テーブルに大束を乗せることにより、大束の自重自体で大束を簡単に揃えることができ、大束は回転テーブルと共に回転するので、大束帯封機における大束の動作を安定させることができる。
【発明を実施するための最良の形態】
【０００８】
以下、この発明の実施の形態を添付図面に基づいて説明する。
この発明の実施の形態に係る大束帯封機の斜視図を図１に示す。大束帯封機１は卓上型であり、正面から見たときに手前に向かって下り勾配の傾斜を有する上面部１ａを有している。上面部１ａには、１００枚の紙幣を帯８で施封した複数の札束９（小束）が束ねられた大束１０を置くための大束セット部２が設けられている。また、上面部１ａには、大束帯封機１に帯封動作を行わせるためのスイッチ３が設けられている。尚、以下の説明において、大束帯封機１を正面から見たときに手前側を「前方」と定義すると共に、奥側を「後方」と定義する。
【０００９】
図２に示されるように、大束帯封機１の内部には、大束セット部２よりも後方の位置に、大束１０に帯として巻かれるテープ１１のロールテープ１２が設けられている。テープ１１を大束セット部２に供給するためのテープの供給経路として、ガイドローラ１３と、テープフィードローラ１４及び１５とが設けられている。ガイドローラ１３とテープフィードローラ１４との間にはテープ検知センサ１６が設けられ、テープフィードローラ１５よりも大束セット部２側の位置にテープ検知センサ１７が設けられている。テープフィードローラ１５及びテープ検知センサ１７は、前後方向に移動可能な可動ユニット１８に設けられている。
【００１０】
大束セット部２には、大束１０を取り囲むような位置に、テープ１１を予めループ状に配置しておくためのループガイド１９が設けられている。また、ループガイド１９に配置されたテープの先端部分を大束１０に対して押さえつけたり引き離したりするテープカットアーム２０が設けられ、テープカットアーム２０は、カム２１によって回動可能になっている。また、大束１０に巻きつけられたテープの先端部分にのり付けを行うためのヒータ２６と、テープ１１を切断するためのカッター刃２５とが、カム２３によって回動可能に設けられたヒータアーム２２の先端に設けられている。さらに、大束セット部２に置かれた大束１０を圧縮するための圧縮プレート２４が設けられている。ここで、ロールテープ１２と、ガイドローラ１３と、テープフィードローラ１４及び１５と、テープ検知センサ１６及び１７と、可動ユニット１８と、ループガイド１９と、テープカットアーム２０と、カム２１及び２３と、ヒータアーム２２と、圧縮プレート２４と、カッター刃２５と、ヒータ２６とは、帯封機構部を構成する。
【００１１】
図３に示されるように、大束セット部２には、大束セット部２の底面、すなわち大束１０が置かれる底面を構成する回転テーブル３０が設けられている。回転テーブル３０は、後方から前方に向かって、上面部１ａと同じ角度の下り勾配の傾斜を有するように設けられている。この傾斜により、大束１０はその自重で大束セット部２の前方の側壁に当接するので、大束１０は、大束セット部２内で簡単に揃えられる。後述する機構によって、回転テーブル３０は大束１０が置かれた状態で９０°回転するが、回転された状態（図３の二点鎖線で描かれた状態）の大束１０を上方に持ち上げて、大束１０がループガイド１９（図２参照）の内部に位置するようにするための上昇機構４０が設けられている。
【００１２】
図４に示されるように、大束帯封機１（図３参照）の内部における底部には、基台３２が固定されている。基台３２には、回転テーブル３０に向かって延びるようにリンク３３が連結され、リンク３３の上端部には、回転テーブル３０に向かって延びるようにリンク３４が連結されている。リンク３４の上端部には、回転テーブル３０が９０°の角度で回転可能に設けられている。回転テーブル３０の後方の縁部には、回転テーブル３０が９０°の角度で回転したときに、大束１０が回転テーブル３０からすべり落ちるのを防止するめのストッパー３５が設けられている。
【００１３】
図５に示されるように、上昇機構４０は、大束１０の下端面１０ａに当接するＬ字状の断面を有したリフトプレート４１と、回転ベルト４４と、回転ベルト４４が掛けられる２つのプーリ４２及び４３とから構成されている。回転ベルト４４の一部分は、固定部材４５によってリフトプレート４１に固定されており、プーリ４２及び４３の回転によって回転ベルト４４が回転することにより、リフトプレート４１が大束セット部２に向かって上昇するようになっている。リフトプレート４１のこのような動きにより、大束１０が大束セット部２に向かって上昇する。
【００１４】
次に、この実施の形態に係る大束帯封機の動作について説明する。
まず、大束帯封機１の準備動作として、テープ１１をループガイド１９に予めループ状に配置するための動作を説明する。図６（ａ）に示されるように、手動で、ロールテープ１２のテープ１１の先端をガイドローラ１３に通した後、当該先端をテープ検知センサ１６に差し込む。テープ検知センサ１６がテープ１１の先端を検知すると、自動的にテープフィードローラ１４及び１５が回転し、テープ１１の先端がテープ検知センサ１７まで送られる。図６（ｂ）に示されるように、可動ユニット１８を前方（矢印Ｂの方向）に向かって移動させると、可動ユニット１８と共にテープ１１の先端が差し込まれたテープ検知センサ１７が、ループガイド１９の始端部１９ａ付近まで移動する。図６（ｃ）に示されるように、テープフィードローラ１４及び１５を回転させると、テープ１１はループガイド１９に沿って送られる。テープ１１が所定の長さだけ送られた時点でテープフィードローラ１４及び１５の回転を停止させると、ループガイド１９の終端部１９ｂからテープ１１の先端が飛び出た状態で、テープ１１はループ状に配置される。その後、可動ユニット１８は、図６（ａ）の位置に戻る。
【００１５】
次に、大束１０への帯封動作について説明する。
図７（ａ）に示されるように、大束セット部２に大束１０をセットした後、大束帯封機１のスイッチ３（図１参照）を押すと、圧縮プレート２４が大束１０に向かって移動して、圧縮プレート２４が大束１０を圧縮する。この状態で、カム２１を回転させてテープカットアーム２０を回動させることにより、テープカットアームの先端部分がテープ１１の先端部分１１ａを大束１０に対して押さえつける。
【００１６】
この状態で、図７（ｂ）に示されるように、テープ１１がロールテープ１２に巻きつけられる方向にテープフィードローラ１４及び１５を回転させると、ループガイド１９に沿ってループ状に配置されているテープ１１は、先端部分１１ａがテープカットアーム２０の先端部分によって大束１０に押さえつけられながら、紙幣の長辺方向に横帯として大束１０に巻き付けられる。
【００１７】
図７（ｃ）に示されるように、カム２３を回転させてヒータアーム２２を回動させることにより、ヒータ２６がテープ１１の先端部分１１ａを大束１０に押さえつける。次に、図７（ｄ）に示されるように、テープ１１をたるませると共にカム２１を回転させてテープカットアーム２０を回動させることにより、カッター刃２５によってテープ１１が切断される。この状態で、ヒータ２６によって、大束１０に巻かれたテープの端部同士をのり付けする。この後、ヒータアーム２２及び圧縮プレート２４が元の位置に戻り、大束１０への横帯の巻き付け動作を終了する。
【００１８】
次に、図３及び４に示されるように、回転テーブル３０が大束１０と共に９０°の角度だけ（図４の矢印Ｃの方向に）回転する。この状態では、大束１０は、大束１０を構成する紙幣の長手方向の軸線が上面部１ａに対して垂直となる向きになっている。図５に示されるように、プーリ４２及び４３が回転して回転ベルト４４が回転すると、回転ベルト４４の回転に伴ってリフトプレート４１が大束セット部２（図３参照）に向かって上昇し、これにより、大束１０が大束セット部２に向かって（矢印Ａの方向に）上昇する。大束１０がループガイド１９（図７参照）の内部に位置する状態で、プーリ４２及び４３の回転を停止する。
【００１９】
その後、大束１０にテープ１１を横帯として巻き付けた方法と同様の方法（図７参照）で、テープ１１を紙幣の短辺方向に縦帯として大束１０に巻き付ける。このようにして、大束１０に、横帯と縦帯とが交差するようにして巻きつけられて、帯封動作が終了する。
【００２０】
このように、大束１０を乗せた回転テーブル３０自体が大束１０と一緒に回転することにより、大束１０を掴む機構が不要となるので、大束帯封機１全体が簡単な機構となって卓上型の大束帯封機１を実現することができる。また、傾斜した回転テーブル３０に大束１０を乗せることにより、大束１０の自重自体で大束を簡単に揃えることができ、大束１０は回転テーブル３０と共に回転するので、大束帯封機１における大束１０の動作を安定させることができる。
【図面の簡単な説明】
【００２１】
【図１】この発明の実施の形態に係る大束帯封機の斜視図である。
【図２】この実施の形態に係る大束帯封機の内部を示す平面図である。
【図３】この実施の形態に係る大束帯封機の内部を示す側面図である。
【図４】この実施の形態に係る大束帯封機に設けられた回転テーブルの動作を説明するための斜視図である。
【図５】この実施の形態に係る大束帯封機に設けられた上昇機構の動作を説明するための斜視図である。
【図６】この実施の形態に係る大束帯封機の準備動作を説明するための部分平面図である。
【図７】この実施の形態に係る大束帯封機の帯封動作を説明するための部分平面図である。
【符号の説明】
【００２２】
１  大束帯封機、８  帯、９  札束（小束）、１０  大束、１２  ロールテープ、１３  ガイドローラ、１４，１５  テープフィードローラ、１６，１７  テープ検知センサ、１８  可動ユニット、１９  ループガイド、２０  テープカットアーム、２１，２３  カム、２２  ヒータアーム、２４  圧縮プレート、２５  カッター刃、２６  ヒータ、３０  回転テーブル、４０  上昇機構。
【図１】
2010076785.tif 000003
【図２】
2010076785.tif 000004
【図３】
2010076785.tif 000005
【図４】
2010076785.tif 000006
【図５】
2010076785.tif 000007
【図６】
2010076785.tif 000008
【図７】
2010076785.tif 000009